(57)【要約】【課題】デジタルカメラや携帯電話機などの電子機器とは別にメモリカード変換アダプタを携行しなくとも、コンピュータ等の外部機器へデータ転送が可能な電子機器用電池蓋、デジタルカメラおよび携帯電話機を提供することを目的とする。【解決手段】電子機器用電池蓋は、マイクロＳＤカード接続部５２を備えたデジタルカメラ１００に用いられ、マイクロＳＤカード１１０を装着することによりマイクロＳＤカード１１０の接点部形状を同種異形のメモリカード（ＳＤカード）の接点部形状に変換するメモリカード変換アダプタ１１２を収納する収納部１１４を有することを特徴とする。【選択図】図１
2010146313.tif 000002
【特許請求の範囲】
【請求項１】
第１のメモリカードが接続される接続部を備えた電子機器に用いられる電子機器用電池蓋において、
第１のメモリカードを装着することにより第１のメモリカードの接点部形状を第２のメモリカードの接点部形状に変換するメモリカード変換アダプタを収納する収納部を有することを特徴とする電子機器用電池蓋。
【請求項２】
請求項１に記載の電子機器用電池蓋において、
前記収納部は、前記メモリカード変換アダプタを、略平板状の当該電子機器用電池蓋と略平行な姿勢で、当該電子機器用電池蓋の厚みの範囲に収納することを特徴とする電子機器用電池蓋。
【請求項３】
第１のメモリカードが接続される接続部を備えた電子機器に用いられる電子機器用電池蓋において、
第１のメモリカードを装着することにより第１のメモリカードの接点部形状を第２のメモリカードの接点部形状に変換するメモリカード変換アダプタとして機能する変換アダプタ機能部と、
前記変換アダプタ機能部を装着することにより、前記電子機器用電池蓋全体を形成する装着部材と、
を含むことを特徴とする電子機器用電池蓋。
【請求項４】
請求項３に記載の電子機器用電池蓋において、
前記装着部材は、前記変換アダプタ機能部を、略平板状の該装着部材と略平行な姿勢で、該装着部材の端部に装着させる装着部を有することを特徴とする電子機器用電池蓋。
【請求項５】
請求項３または４に記載の電子機器用電池蓋において、
前記装着部は、前記変換アダプタ機能部を、前記装着部材に抜き差し自在に装着させる機構を有することを特徴とする電子機器用電池蓋。
【請求項６】
請求項５に記載の電子機器用電池蓋において、
前記抜き差し自在に装着させる機構は、ラッチ機構であることを特徴とする電子機器用電池蓋。
【請求項７】
請求項１から６のいずれか１項に記載の電子機器用電池蓋において、
当該電子機器用電池蓋は、前記電子機器本体に着脱式に取り付けられることを特徴とする電子機器用電池蓋。
【請求項８】
請求項１から７のいずれか１項に記載の電子機器用電池蓋を有することを特徴とするデジタルカメラ。
【請求項９】
請求項１から７のいずれか１項に記載の電子機器用電池蓋を有することを特徴とする携帯電話機。
【発明の詳細な説明】
【技術分野】
【０００１】
本発明は、デジタルカメラや携帯電話機などに用いられる電子機器用電池蓋、デジタルカメラおよび携帯電話機に関するものである。
【背景技術】
【０００２】
デジタルカメラの記録メディアとして一般的なＳＤ（Secure Digital）カード（登録商標）を使用するデジタルカメラでは、ＳＤカード用スロットがカメラ本体に内蔵されている。
【０００３】
近年、デジタルカメラの小型化が求められ、記録メディアとして、ＳＤカードより寸法が小さいマイクロＳＤカード（登録商標）を装着可能なスロットを装備したデジタルカメラが提案されている。
【０００４】
一方、コンピュータ等の外部機器は、その本体に各種の拡張スロットを設けていて、ＳＤカードやＣＦ（Compact Flash）カード等に記録されたデータを読み込む。しかし、マイクロＳＤカードのような小型の記録メディアに対応した拡張スロットは、現状では設けられていない。
【０００５】
したがって、マイクロＳＤカードに記録された画像データ等をコンピュータ等の外部機器に読み込む場合は、メモリカード変換アダプタ（例えば特許文献１）が必須となる。メモリカード変換アダプタによれば、あるメモリカードの接点形状を、同種異形、あるいは異種のメモリカードの接点部形状に変換可能である。
【特許文献１】特開２００１−１８８８８３号公報
【発明の開示】
【発明が解決しようとする課題】
【０００６】
しかし、デジタルカメラで撮像した画像データをコンピュータ等の外部機器へデータ転送することが想定されるため、デジタルカメラ等の電子機器とは別に、メモリカード変換アダプタを常に携行することは、不便である。
【０００７】
本発明は、このような課題に鑑み、デジタルカメラや携帯電話機などの電子機器から、コンピュータ等の外部機器へのデータ転送をする際に、電子機器とは別にメモリカード変換アダプタを携行しなくてはならないという不便を解消できる電子機器用電池蓋、デジタルカメラおよび携帯電話機を提供することを目的としている。
【課題を解決するための手段】
【０００８】
上記課題を解決するために、本発明の代表的な構成は、第１のメモリカードが接続される接続部を備えた電子機器に用いられる電子機器用電池蓋において、第１のメモリカードを装着することにより第１のメモリカードの接点部形状を第２のメモリカードの接点部形状に変換するメモリカード変換アダプタを収納する収納部を有することを特徴とする。
【０００９】
上記の収納部は、メモリカード変換アダプタを、略平板状の当該電子機器用電池蓋と略平行な姿勢で、当該電子機器用電池蓋の厚みの範囲に収納してよい。
【００１０】
上記課題を解決するために、本発明の他の代表的な構成は、第１のメモリカードが接続される接続部を備えた電子機器に用いられる電子機器用電池蓋において、第１のメモリカードを装着することにより第１のメモリカードの接点部形状を第２のメモリカードの接点部形状に変換するメモリカード変換アダプタとして機能する変換アダプタ機能部と、変換アダプタ機能部を装着することにより、電子機器用電池蓋全体を形成する装着部材と、を含むことを特徴とする。
【００１１】
上記の装着部材は、変換アダプタ機能部を、略平板状の装着部材と略平行な姿勢で、装着部材の端部に装着させる装着部を有してよい。
【００１２】
上記の装着部は、変換アダプタ機能部を、装着部材に抜き差し自在に装着させる機構を有してよい。
【００１３】
上述の抜き差し自在に装着させる機構は、ラッチ機構であってよい。
【００１４】
上記の電子機器用電池蓋は、電子機器本体に着脱式に取り付けられるようにしてもよい。
【００１５】
上記課題を解決するために、本発明にかかるデジタルカメラの代表的な構成は、上述のいずれかの電子機器用電池蓋を有することを特徴とする。
【００１６】
上記課題を解決するために、本発明にかかる携帯電話機の代表的な構成は、上述のいずれかの電子機器用電池蓋を有することを特徴とする。
【００１７】
上述した電子機器用電池蓋における技術的思想に対応する構成要素やその説明は、当該デジタルカメラおよび携帯電話機にも適用可能である。
【発明の効果】
【００１８】
以上のように、本発明によれば、デジタルカメラや携帯電話機などの電子機器とは別にメモリカード変換アダプタを携行しなくとも、電子機器からコンピュータ等への外部機器へデータ転送を可能とする構成を有する、電子機器用電池蓋、デジタルカメラおよび携帯電話機を提供可能である。
【００１９】
また本発明によれば、電子機器の小型化を阻害することもない。
【発明を実施するための最良の形態】
【００２０】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。さらに、信号や電流はそれらが通る線路の符号によって表記するものとする。
【００２１】
（第１の実施形態）
図１は本発明の第１の実施形態である電子機器用電池蓋の構成図である。本実施形態では電子機器としてデジタルカメラ１００を用い、図１（ａ）は、デジタルカメラ１００の概略正面図である。電子機器用電池蓋（以下「電池蓋」と略称する）１０２は、本実施形態ではデジタルカメラ１００の底面に設けられている。ただし電池蓋１０２は、底面に限らず、デジタルカメラ１００の筐体のどの部位に配置してもよい。
【００２２】
電池蓋１０２は略平板状の形状を有し、その一端に設けられた貫通孔１０４に、デジタルカメラ１００内部の回転支軸（図示省略）を通して軸支されている。電池蓋１０２の他端には、電池収納室１０６に形成された凹部と係合するフック（図示省略）が形成されている。かかる構造により、電池蓋１０２は、回転支軸を中心として回転し、ヒンジ式に開閉される。ただし電池蓋１０２は、ヒンジ式に限られず、スライド式その他、いかなる方式で開閉されるものでもよい。
【００２３】
デジタルカメラ１００は、その筐体内に、マイクロＳＤカード接続部５２を備え、ここに第１のメモリカード（本実施形態ではマイクロＳＤカード１１０）を接続可能である。
【００２４】
電池蓋１０２が閉じられることにより、電池収納室１０６に収納された電池１０８は電池収納室１０６に固定される。一方、マイクロＳＤカード接続部５２には、マイクロＳＤカード１１０を接続して固定することができる。本実施形態では電池１０８をリチウムイオン型充電池としたが、他の種類の電池を用いてもよい。
【００２５】
図１（ｂ）（ｃ）は、それぞれ、電池蓋１０２部分の平面図および正面図である。図１（ｄ）は電池蓋１０２からメモリカード変換アダプタ１１２を取り外した状態を示す。図１（ｄ）に示すように、メモリカード変換アダプタ１１２のメモリカード用スロット１１１には、マイクロＳＤカード１１０が装着できる。電池蓋１０２は、同種異形の第２のメモリカード（本実施形態ではＳＤカード）の接点部形状に変換するメモリカード変換アダプタ１１２を収納する収納部１１４を有する。
【００２６】
上記構成によれば、マイクロＳＤカード１１０を装着したメモリカード変換アダプタ１１２を電池蓋１０２に収納可能であるため、コンピュータ等の外部機器へのデータ転送用のアダプタをデジタルカメラ１００と別に携行する不便さを解消できる。
【００２７】
しかも、メモリカード変換アダプタ１１２は、デジタルカメラ１００の筐体内部に収納されず、電池蓋１０２の内部に収納されるため、デジタルカメラ１００の筐体内のスペースが節減できる。したがって、デジタルカメラ１００の小型化を阻害することもない。
【００２８】
図１（ｂ）（ｃ）に示すように、収納部１１４は、メモリカード変換アダプタ１１２を、略平板状の電池蓋１０２と略平行な姿勢で、電池蓋１０２の厚みｄの範囲に収納している。厚みの薄い平板状の電池蓋１０２にメモリカード変換アダプタ１１２を収納する必要があることから、収納部１１４は、メモリカード変換アダプタ１１２またはＳＤカードそのものを、電池蓋１０２と略平行な姿勢で収納するようにしたものである。
【００２９】
本実施形態では、メモリカード変換アダプタ１１２は、図１（ｄ）の矢印１１６に示すように、電池蓋１０２の短手方向に収納されているが、長手方向に収納してもよい。
【００３０】
（比較例）
図７は本発明の各実施形態との比較例を示す構成図である。以下、比較例について、第１の実施形態と異なる点のみ説明する。電池１０８およびマイクロＳＤカード１１０は、いずれも、デジタルカメラ５０の筐体内に設けられた電池収納室１０６およびマイクロＳＤカード接続部５２に、それぞれ接続される。そして、マイクロＳＤカード１１０は、マイクロＳＤカード接続部５２に挿し込むことによって固定され、電池１０８は、電池蓋５４が閉じられることによって固定される。
【００３１】
しかし比較例の構成では、コンピュータ等の外部機器へデータを転送することが想定される場合に、デジタルカメラ５０とは別に、メモリカード変換アダプタ１１２を常に携行する必要があるため、不便さは否めない。
【００３２】
（第２の実施形態）
図２は本発明の第２の実施形態である電子機器用電池蓋の構成図である。以下では、第１の実施形態と異なる点について説明する。本実施形態では電子機器としてデジタルカメラ２００を用いる。図２（ａ）は、デジタルカメラ２００の概略正面図である。電池蓋２０２（変換アダプタ機能部２０２Ａおよび装着部材２０２Ｂから成る）は、本実施形態でもデジタルカメラ２００の底面に設けられているが、底面に限らず、デジタルカメラ２００の筐体のどの部位に配置してもよい。
【００３３】
電池蓋２０２は略平板状の形状を有し、その一端には、弾性を有する断面略Ｃ字型の着脱部２０４が設けられている。この着脱部２０４を、デジタルカメラ２００内部の回転支軸（図示省略）に押圧して嵌めこむことにより、電池蓋２０２は、回転支軸を中心として回転し、ヒンジ式に開閉される。
【００３４】
図２（ｂ）（ｃ）は、それぞれ、電池蓋２０２の平面図および正面図である。一方、図２（ｄ）（ｅ）は、それぞれ、変換アダプタ機能部２０２Ａと装着部材２０２Ｂとを分離した平面図および正面図である。
【００３５】
図２（ｄ）（ｅ）に示すように、変換アダプタ機能部２０２Ａは、マイクロＳＤカード１１０をメモリカード用スロット２１１に装着してＳＤカードの接点部形状に変換するメモリカード変換アダプタとして機能する。電池蓋２０２は、変換アダプタ機能部２０２Ａと、変換アダプタ機能部２０２Ａを装着することにより、電池蓋２０２全体を形成する装着部材２０２Ｂと、により構成される。
【００３６】
上記構成では、電池蓋２０２の一部である変換アダプタ機能部２０２Ａをメモリカード変換アダプタとして利用できるため、メモリカード変換アダプタをデジタルカメラ２００と別に携行する不便さを解消できるし、デジタルカメラの小型化を阻害することもない。
【００３７】
また、電池蓋２０２を開けないと、電池蓋２０２から変換アダプタ機能部２０２Ａを分離できない構造とすれば、電池１０８による通電中に、不用意にマイクロＳＤカード１１０を外すことを回避することができる。
【００３８】
図２（ｂ）〜（ｅ）に示すように、装着部２０６は、変換アダプタ機能部２０２Ａを、略平板状の装着部材２０２Ｂと略平行な姿勢で、装着部材２０２Ｂの端部に装着させる。これも、電池蓋２０２の形状を考慮して、変換アダプタ機能部２０２Ａを、電池蓋２０２と略平行な姿勢で装着させるようにしたものである。
【００３９】
本実施形態では、変換アダプタ機能部２０２Ａは、図２（ｄ）に示すように、電池蓋２０２の長手方向（矢印２１６方向）に接続されているが、短手方向に接続してもよい。
【００４０】
装着部２０６は、変換アダプタ機能部２０２Ａを、装着部材２０２Ｂに抜き差し自在に装着させる機構を有する。すなわち装着部２０６には、着脱が容易な抜き差し自在の機構としている。本実施形態においては、例えばラッチ機構を用いることができる。
【００４１】
図２においてラッチ機構を具体的に説明する。変換アダプタ機能部２０２Ａが装着部材２０２Ｂを装着しているとき、装着部材２０２Ｂの半球型の突起２２０が変換アダプタ機能部２０２Ａの半球型の窪み２２２に嵌る。かかる半球型の突起２２０は、抜き差しのとき、図２（ｅ）の端部Ａで引っかかり、また、図２（ｄ）の破線Ｂ上で擦れる。ここで、装着部２０６と変換アダプタ機能部２０２Ａとの嵌め込み部分に、厚み方向に僅かに変形できるような遊びを持たせ（図２（ｃ）の遊び幅Ｃ）、半球型の突起２２０の高さはその変形で十分抜き差し可能となる程度とする。かかる構成により、変換アダプタ機能部２０２Ａの着脱が容易で抜き差し自在な機構を簡易な構成で実現でき、製造コストの削減が可能である。
【００４２】
なお、本実施形態では、装着部２０６をラッチ機構としたが、バネやスライドによる機構を用いることもできる。
【００４３】
電池蓋２０２自体も、既に説明した着脱部２０４によって、デジタルカメラ２００に着脱式に取り付けられている。これにより、電池蓋２０２をオプション品とすることができる。例えば、デジタルカメラ２００には、当初、図７の電池蓋５４のような通常の電池蓋を標準装備しておく。そしてユーザは、その要望に応じて、その一部（変換アダプタ機能部２０２Ａ）がメモリカード変換アダプタとして機能する、本実施形態にかかる電池蓋２０２を、別途入手できる。したがってデジタルカメラ全体を取り替える必要はない。
【００４４】
（第３の実施形態）
図３は本発明の第３の実施形態である電子機器用電池蓋の構成図である。これは第２の実施形態を変形したものであり、以下では、第２の実施形態と異なる点について説明する。本実施形態では電子機器としてデジタルカメラ３００を用いる。図３（ａ）は、デジタルカメラ３００の概略正面図である。図３（ｂ）（ｃ）は、それぞれ、図３（ａ）の電池蓋３０２部分の平面図および正面図である。図３（ｄ）（ｅ）は、それぞれ、変換アダプタ機能部３０２Ａと装着部材３０２Ｂとを分離した平面図および正面図である。
【００４５】
本実施形態では、第２の実施形態とは対照的に、ＳＤカード３１０からマイクロＳＤカードへのメディア変換を行うものである。デジタルカメラ３００は、その筐体内に、ＳＤカード接続部５６を有し、ここにＳＤカード３１０を接続可能である。変換アダプタ機能部３０２Ａは、ＳＤカード３１０をメモリカード用スロット３１１に装着してマイクロＳＤカードの接点部形状に変換するメモリカード変換アダプタとして機能する。電池蓋３０２は、変換アダプタ機能部３０２Ａと、変換アダプタ機能部３０２Ａを装着することにより、電池蓋３０２全体を形成する装着部材３０２Ｂと、により構成される。
【００４６】
このように、本実施形態における電池蓋は、２つの同種異形のメディアカードがある場合、どちらのメディアカードから他方のメディアカードに接点部形状を変換してもよい。また、電池蓋は、１対１の変換に限られず、多対多の変換に用いてもよい。変換対象となるメディアも、同種異形のＳＤカードやマイクロＳＤカードに限られず、異種のメディア、例えばコンパクトフラッシュ（登録商標）カード、マルチメディアカードなど、既存の様々な形式のフラッシュメモリに適用してよい。
【００４７】
（第４の実施形態）
図４は本発明の第４の実施形態である携帯電話機の構成図である。本実施形態は、図１の第１の実施形態における電池蓋１０２を、携帯電話機３５０に適用したものである。電池蓋３５２は、メモリカード変換アダプタ１１２を収納する収納部１１４を有する。メモリカード変換アダプタ１１２にマイクロＳＤカード１１０を装着することにより、マイクロＳＤカード１１０の接点部形状をＳＤカード３１０の接点部形状に変換する。電池蓋３５２は、矢印３５６で示す方向に摺動するスライド式であり、携帯電話機３５０の所定の位置に取り付けると、電池３０８を覆う。
【００４８】
本実施形態では折り畳み式の携帯電話機３５０の筐体３５４、３５６のうち、操作ボタン（図示は省略）を有する筐体３５６の端部に、電池蓋３５２が設けられている。しかし電池蓋３５２は筐体３５６の側面に設けてもよいし、画面（図示は省略）を有する筐体３５４に設けてもよい。
【００４９】
携帯電話機３５０の筐体３５６は、マイクロＳＤカード１１０を接続可能なマイクロＳＤカード用スロット３６１を有している。このマイクロＳＤカード用スロット３６１に装着されるマイクロＳＤカード１１０を、図４に示すように、電池蓋３５２に収納されたメモリカード変換アダプタ１１２に装着可能である。そして、メモリカード変換アダプタ１１２をコンピュータ等の外部機器へ接続することにより、マイクロＳＤカード１１０内のデータを転送可能である。
【００５０】
本実施形態は、第１の実施形態における電池蓋１０２を、携帯電話機３５０に適用したものであるが、第２および第３の実施形態を携帯電話機に適用してもよいことは言うまでもない。
【００５１】
本実施形態は、折り畳み式の携帯電話機３５０であるが、ストレート型の筐体を有する携帯電話機（図示は省略）に、第１〜第３の実施形態における電池蓋を適用してもよい。
【００５２】
第１〜第３の実施形態における電池蓋１０２、２０２、３０２は、本実施形態のような携帯電話機だけでなく、他の電子機器にも適用可能である。例えば、ノート型パーソナルコンピュータ、ＰＤＡ（Personal Digital Assistant）、音楽プレーヤ、カーナビゲーション、ポータブルテレビ、ゲーム機器、ＤＶＤプレーヤ、リモートコントローラ等、様々な電子機器に適用可能である。
【００５３】
（デジタルカメラ構成）
図５はデジタルカメラの機能的構成の一例を示すブロック図である。図６はデジタルカメラの外観の一例を示す図であり、図６（ａ）は正面から見た図、図６（ｂ）は背面から見た図である。図５および図６を用いて、電池蓋以外のデジタルカメラの構成について、以下、説明する。
【００５４】
図５のＣＣＤ（Charge Coupled Device; 電荷結合素子）４２０は、被写界を撮像して電子的な画像信号を生成する撮像手段であり、例えば１６００×１２００個の画素を有する。ＣＣＤ４２０は、撮像レンズ４１０によって結像された被写体の光像を、画素毎にＲ（赤）、Ｇ（緑）、Ｂ（青）の色成分の画像信号（各画素で受光された画素信号の信号列からなる信号）に光電変換して出力する。
【００５５】
ＣＣＤ４２０から得られる画像信号（アナログ信号）は、アナログ信号処理回路４３０に与えられる。アナログ信号処理回路４３０は、画像信号に対して所定のアナログ信号処理を行う回路である。アナログ信号処理回路４３０は、少なくとも相関二重サンプリング回路（Correlated Double Sampling：ＣＤＳ。図示省略）およびオートゲインコントロール（Auto Gain Controlled： ＡＧＣ。図示省略）回路を含む。相関二重サンプリング回路によって画像信号のノイズ低減処理が行われ、オートゲインコントロール回路でゲイン調整することによって、画像信号のレベル調整が行われる。
【００５６】
Ａ／Ｄ変換器４４０は、画像信号の各画素信号を、例えば１２ビットのデジタル信号に変換する。変換後のデジタル信号は、中央処理装置（ＣＰＵ: Central Processing Unit）４５０に与えられ、画像データとして一時的にＲＡＭ（Random Access Memory）４６０に格納される。ＲＡＭ４６０に保存された画像データは、画像処理部４８０によって色補正処理等を施された後、圧縮伸張部４９０による圧縮処理等が施される。
【００５７】
また、マイク５００から得られる音声信号は、音声処理部５１０に入力される。音声処理部５１０に入力された音声信号は、音声処理部５１０内に設けられたＡ／Ｄ変換器（図示省略）により、デジタル信号に変換され、一時的にＲＡＭ４６０に格納される。デジタル化された音声信号は、再び音声処理部５１０に送り、スピーカ５０２から再生可能である。
【００５８】
操作部５２０は、電源ボタン５２０Ａ、各種の操作ボタン５２０Ｂ、シャッタレリーズボタン５２０Ｃ等を含み、ユーザがデジタルカメラ１００の設定を変更操作する際や撮像操作を行う際等に用いられる。
【００５９】
電池１０８は、デジタルカメラ１００に対する電源供給源である。これはリチウムイオン電池などの二次電池を用いてよい。
【００６０】
リアルタイムクロック５４０は、現在時刻を取得するためのもので、画像への日付写し込み等で必要となる撮像日時の取得に利用される。
【００６１】
ＣＰＵ４５０は、ＲＡＭ４６０およびＲＯＭ（Read Only Memory）５５０に記録された所定のプログラムを実行することにより、上記各部を統括的に制御する。なお、ＲＡＭ４６０は、高速アクセス可能な半導体メモリであり、ＲＯＭ５５０は電気的に書き換えが不可能な不揮発の半導体メモリ（例えばフラッシュＲＯＭ）として構成される。また、ＲＡＭ４６０内における一部の領域は、一時記憶用のバッファエリアとして機能し、画像データおよび音声データを一時的に記憶する。
【００６２】
ＣＰＵ４５０は、画像処理部４８０、圧縮伸張部４９０および音声処理部５１０を有する。これら各処理部４８０、４９０、５１０は、マイクロコンピュータが所定のプログラムを実行することにより実現される、機能部位である。
【００６３】
画像処理部４８０は、ＷＢ（ホワイトバランス）処理、γ補正処理等の各種のデジタル画像処理を施す処理部である。ＷＢ処理は、Ｒ、Ｇ、Ｂの各色成分のレベル変換を行い、カラーバランスを調整する処理であり、γ補正処理は、画素データの階調を補正する処理である。圧縮伸張部４９０は、画像処理部４８０によって色補正処理等が行われた画像データを、さらに圧縮する。圧縮方式としては、例えばＪＰＥＧ（Joint Photographic Experts Group）方式などが採用される。音声処理部５１０は、音声データに対する各種のデジタル処理を施す処理部である。
【００６４】
このような構成を有するＣＰＵ４５０によって、撮像モード、再生モードの処理が行われる。例えば、撮像モードにおいては、まずＣＣＤ４２０をビューファインダ（ＬＣＤ６１０）画像出力用の動作モードに設定した上で所定周期（例えば３０コマ／秒）の撮像を行い、撮像に応じた画像データを逐次出力する（予備撮像）。ＣＣＤ４２０から出力された画像データは、アナログ信号処理回路４３０、Ａ／Ｄ変換器４４０、画像処理部４８０を介してＬＣＤ６１０にビューファインダ画像として表示される。この状態で、シャッタレリーズボタン５２０Ｃがユーザによって半押し（予備撮像）されると、ＣＰＵ４５０は、ＣＣＤ４２０から入力される予備撮像の画像データに基づき、ＡＥ（Auto Exposure）評価値およびＡＦ（Auto Focus）評価値を求める。ＣＰＵ４５０はＡＦ評価値に基づいて合焦位置を、公知の例えば山登り方式によって求め、ＡＥ／ＡＦ部５６０を用いて、合焦位置に撮像レンズ４１０を移動させる。また、ＣＰＵ４５０はＡＥ評価値に基づいて、本撮像時のシャッタスピード（ＣＣＤ４２０における電荷蓄積時間）、撮像レンズ４１０の絞り値およびアナログ信号処理回路４３０におけるオートゲインコントロールのゲイン値とを決定する。
【００６５】
ＣＰＵ４５０は、撮像モードにおいてシャッタレリーズボタン５２０Ｃが全押し（本撮像）されると、ＣＣＤ４２０の動作モードを本撮像用の動作モードに設定した上で被写体を撮像し、ＣＣＤ４２０で取得された撮像画像データに基づき、圧縮伸張部４９０で圧縮画像を生成する。そして、圧縮された高解像度の画像データは、記録メディアであるマイクロＳＤカード１１０に記録される。このマイクロＳＤカード１１０におけるデータ構造を、以下、説明する。
【００６６】
マイクロＳＤカード１１０には、デジタルカメラ１００によって記録された静止画像および動画像の各コマが順に配列されて記憶される。各コマは、ファイル属性とタグ情報とＪＰＥＧ形式で圧縮された高解像度画像データ（１６００×１２００画素）が記録されている。このファイル属性ＡＴ（ATtribute）では、読み取り専用属性（Ｒ）、アーカイブ属性（Ａ）、システムファイル属性（Ｓ）および隠しファイル属性（Ｈ）が設定可能である。
【００６７】
タグ情報には、ファイル名、撮像日時、撮像に使用したデジタルカメラのシリアルナンバーおよび画像データに関連付けられた音声ファイルの情報が記録されている。この撮像日時については、リアルタイムクロック５４０における撮像時の計時情報に基づき、マイクロＳＤカード１１０に記録され、写し込み設定などに利用される。
【００６８】
カードインターフェース（カードＩ／Ｆ）５８０は、マイクロＳＤカード接続部５２に装着されるマイクロＳＤカード１１０への画像データの書き込みおよび読み出しを行うインターフェースである。
【００６９】
既に図１において説明したように、電池蓋１０２は、マイクロＳＤカード１１０を装着してＳＤカードの接点部形状に変換するメモリカード変換アダプタ１１２を接続し、あるいは、ＳＤカードそのものを接続する収納部１１４を有する。
【００７０】
マイクロＳＤカード１１０に対する画像データの読み書き時には、圧縮伸張部４９０において、例えばＪＰＥＧ形式で画像データの圧縮処理が行われ、カードインターフェース５８０を介して画像データがＲＡＭ４６０とマイクロＳＤカード１１０との問で送受信される。また、音声データの読み書き時においても、カードインターフェース５８０を介して音声データがＲＡＭ４６０とマイクロＳＤカード１１０との間で送受信される。
【００７１】
さらに、デジタルカメラ１００は、このカードインターフェース５８０を用いて、画像および音声等のデータを送受信するだけではなく、デジタルカメラ１００で動作されるプログラムを取り込むことも可能である。例えば、マイクロＳＤカード１１０に記録される制御プログラムを、ＣＰＵ４５０を介して、ＲＡＭ４６０またはＲＯＭ５５０内に取り込むことができる。これにより、制御プログラムを更新することも可能である。
【００７２】
フラッシュ５９０は、発光が許可されている状態で撮影補助光を発して被写体を照射する発光装置である。セルフタイマランプ６００は、セルフタイマ作動時に点滅するランプである。
【００７３】
ＬＣＤ（Liquid Crystal Display）６１０は、被写界を表示するほか、ユーザに対する各種メニューを表示し、操作のための情報を提供する表示装置である。
【００７４】
デジタルカメラ１００には、さらに、ＵＳＢ（Universal Serial Bus）端子６２０が設けられていて、ＵＳＢ規格に対応したメモリその他の周辺機器を接続可能である。
【００７５】
本実施形態によれば、メモリカード変換アダプタを常に電子機器用電池蓋に収納可能であるため、コンピュータ等の外部機器へのデータ転送用のアダプタをカメラと別に携行する不便さを解消できる。
【００７６】
しかも、メモリカード変換アダプタは、電子機器の筐体内部に収納されず、電子機器用電池蓋の内部の使われていなかった空間に収納されるため、電子機器の筐体内のスペースが節減できる。したがって、電子機器の小型化を阻害することもない。
【００７７】
本実施形態によれば、厚みの薄い平板状の電池蓋にメモリカード変換アダプタを収納する必要があることから、収納部は、アダプタまたは同種異形のメモリカードを、電池蓋と略平行な姿勢で収納するようにしている。
【００７８】
本実施形態によれば、電子機器用電池蓋の一部である変換アダプタ機能部をメモリカード変換アダプタとして利用できるため、アダプタをカメラと別に携行する不便さを解消できるし、電子機器の小型化を阻害することもない。
【００７９】
本実施形態によれば、電池蓋の形状を考慮して、アダプタを、電池蓋と略平行な姿勢で接続することができる。
【００８０】
本実施形態によれば、装着部には、着脱に力を要するバネやスライド機構などを用いず、着脱が容易で抜き差し自在な機構になっている。
【００８１】
本実施形態によれば、装着部は、着脱が容易で抜き差し自在な機構を簡易な構成で実現でき、製造コストの削減が可能である。
【００８２】
本実施形態によれば、メモリカード変換アダプタとして機能する電池蓋を、オプション品とすることができる。
【００８３】
以上、添付図面を参照しながら本発明の好適な実施形態について説明したが、本発明は係る例に限定されるものではない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００８４】
本発明は、デジタルカメラや携帯電話機などに用いられる電子機器用電池蓋、デジタルカメラおよび携帯電話機に利用することができる。
【図面の簡単な説明】
【００８５】
【図１】本発明の第１の実施形態である電子機器用電池蓋の構成図である。
【図２】本発明の第２の実施形態である電子機器用電池蓋の構成図である。
【図３】本発明の第３の実施形態である電子機器用電池蓋の構成図である。
【図４】本発明の第４の実施形態である携帯電話機の構成図である。
【図５】図１のデジタルカメラの構成の一例を示すブロック図である。
【図６】図５のデジタルカメラの外観の一例を示す図である。
【図７】本発明の各実施形態との比較例を示す構成図である。
【符号の説明】
【００８６】
１００、２００、３００  …デジタルカメラ
１０２、２０２、３０２、３５２  …電池蓋
１０４  …貫通孔
１０６  …電池収納室
１０８  …電池
１１０  …マイクロＳＤカード
１１２  …メモリカード変換アダプタ
１１４  …収納部
２０２Ａ  …変換アダプタ機能部
２０２Ｂ  …装着部材
２０４  …着脱部
２０６、３０６  …装着部
３５０  …携帯電話機
３５４、３５６  …筐体
３６１  …マイクロＳＤカード用スロット
【図１】
2010146313.tif 000003
【図２】
2010146313.tif 000004
【図３】
2010146313.tif 000005
【図４】
2010146313.tif 000006
【図５】
2010146313.tif 000007
【図６】
2010146313.tif 000008
【図７】
2010146313.tif 000009